(57)【特許請求の範囲】
【請求項１】
電解質を備える電解水を収容する水槽と、
前記水槽に配置されている容器を有し、水素酸素混合ガスを生成して前記電解水を電気分解する構成である前記電解装置と、
水素酸素混合ガスを循環させる循環配管を形成するために隣接した凝縮プレートの配管に接続される複数の配管を備え、前記電解装置で生成された水素酸素混合ガスを凝縮し、濾過された水素酸素混合ガスを生成するために水素酸素混合ガス内の電解質を濾過するように形成され、水素酸素混合ガスを受理するために前記電解装置に接続されている凝縮フィルターであり、前記濾過された電解質を前記水槽に還流する充填水を受理する構成である前記凝縮フィルターとを備え、
４０〜６０時間運転した後のガス発生装置が生成する水素酸素混合ガスの流量が１２０〜６００Ｌ／時間であり、電解質の減少は５ｇ以下となるガス発生装置。
【請求項２】
前記濾過された水素酸素混合ガスを加湿するために、前記充填水を収容し、前記凝縮フィルターに接続された加湿装置と、
前記濾過された電解質が前記電解装置に還流されるように、前記充填水を前記水槽内の陰圧によって前記加湿装置から凝縮フィルターを通して前記水槽へ送るための陰圧を、水槽内に発生させる構成であるポンプ装置と、をさらに備える請求項１に記載のガス発生装置。
【請求項３】
水槽に連結したガス排気口をさらに備えるガス発生装置であり、ポンプ装置が運転中のとき、前記水槽内のガスは、前記水槽の中に陰圧を発生させるためにガス排気口を通って送り出される請求項２に記載のガス発生装置。
【請求項４】
加湿された水素酸素混合ガスを受容するために、前記加湿装置に接続されているガス排気口を有する霧化ガス混合槽であり、
前記霧化ガス混合槽は、健康に良いガスを生成するために、前記加湿された水素酸素混合ガスと混合した霧化ガスを生成し、前記霧化ガスは少なくとも水蒸気、霧化薬液、揮発性精製オイルまたはそれらの組み合わせの１つをさらに備える請求項３に記載のガス発生装置。
【請求項５】
加湿装置は複数の孔を有する出口管を少なくとも１本さらに備え、前記濾過された水素酸素混合ガスは、加湿された前記水素酸素混合ガスを生成するために、前記加湿装置に受理され、出口管の複数の孔から送り出される請求項２に記載のガス発生装置。
【請求項６】
前記凝縮フィルターは複数の配管を有する複数の前記凝縮プレートを備える請求項１に記載のガス発生装置。
【請求項７】
前記凝縮フィルターの各配管は、水素酸素混合ガス内にある電解質を濾過するために活性炭素繊維に配置され、各活性炭素繊維は相互に分離された請求項６に記載のガス発生装置。
【請求項８】
前記凝縮プレートの各配管はフィルター材料内に配置され、各フィルター材料は相互に分離しており、前記フィルター材料は、セラミック、石英、珪藻土、海泡石またはそれらの組み合わせを備える請求項６に記載のガス発生装置。
【請求項９】
水素酸素混合ガスを生成して電解水を電気分解する構成である電解装置と、
濾過された前記水素酸素混合ガスを生成するために水素酸素混合ガス内の電解質を濾過するよう凝縮フィルターと、
濾過された水素酸素混合ガスを加湿するために充填水を収容する加湿装置で、濾過された前記電解質を前記電解装置に還流するために加湿装置から充填水を受理するように構成される前記凝縮フィルターを備え、
健康に良いガスを生成するために、霧化ガスを生成し、前記霧化ガスと前記加湿された水素酸素混合ガスを混合する霧化ガス混合槽と、
凝縮フィルターを通して充填水を前記電解装置に送り返すために、前記電解装置内に陰圧を発生させる構成であり、凝縮フィルターに吸着した電解質は電解装置に還流するポンプ装置と、を備えるガス発生装置。
【請求項１０】
加湿された水素酸素混合ガスを受容するために選択的に前記加湿装置に連結されており、前記霧化ガス混合槽は、前記健康に良いガスを生成するために、前記加湿された水素酸素混合ガスと混合した霧化ガスを生成し、前記霧化ガスは少なくとも水蒸気、霧化薬液、揮発性精製オイルまたはそれらの組み合わせを備える霧化ガス混合槽をさらに備える請求項２に記載のガス発生装置。
【発明の詳細な説明】
【技術分野】
【０００１】
本発明はガス発生装置に関し、より詳細には濾過機能および加湿機能を提供し、電解質の消費量を減少させるガス発生装置に関する。
【背景技術】
【０００２】
人間は健康状態に常に関心を持ち続けており、医療技術における多くの発展は病気の治療および寿命を延ばすことを目標にしている。また、過去の治療の大部分は受動的であり、それはつまり病気は病状が明らかになってからのみ治療され、治療とは手術、薬物療法、放射線療法、またはがん医療を含む。しかし、近年では医療専門家の研究の多くは、健康食品および遺伝病の検査と予防といった将来罹る可能性のある病気を能動的に予防する予防医療法に移ってきている。寿命を延ばすことに注力した結果、スキンケア商品および抗酸化食品／医療品を含む抗加齢および抗酸化技術が次第に開発されて一般市民に人気が高くなっている。
【０００３】
不安定な酸素種（Ｏ＋）、別名遊離基が人間の身体に存在することが研究により見出された。遊離基は通常、病気、食生活および環境に起因して発生する。また、個人の生活様式は吸い込んだ水素に反応して水の形で排出される。この方法により、人体内の遊離基の量は減少するので身体の状態が酸性からアルカリ性に回復し、抗酸化、抗加齢および美容健康促進効果を達成し、さらには慢性疾患を減少させることもできる。そのうえ、高濃度の酸素を長期間吸引した患者の肺は損傷をうけることが臨床実験で示された。しかし、それは水素を吸引することで緩和される。
【０００４】
一般的な電解装置は、電気分解の工程において高温になり、電気分解の効率を下げるとともにエネルギー消費に関する問題を引き起こす。さらには、その水素酸素混合ガスはユーザが吸引するには不適切になる。上記の問題は充填水を補充するか連続的に電気分解することにより解決するものの、電解装置の操作は不便になる。
【発明の概要】
【発明が解決しようとする課題】
【０００５】
よって、本発明の発明者は長年にわたり関連製品の製造および開発に従事してきて、設計の経験は詳細な設計および慎重な評価を経て、ついに本発明は実際に使用可能であると確証を得た。
【課題を解決するための手段】
【０００６】
本発明は水を電気分解して水素酸素混合ガスを生成するガス発生装置を提供し、同時に水素酸素混合ガス中の電解質は凝縮されて濾過される。ユーザが吸引可能なように、ガスは水素酸素混合ガス内の電解質の量を減少させるために加湿される。さらに、充填水を補充して、電解質を電解装置に還流することで循環配管の濾過機能を修復する。循環配管内の閉塞および腐食を回避できるだけではなく、電解質の消費量を減少できる。
【発明の効果】
【０００７】
本発明は、水槽、電解装置、凝縮フィルター、加湿装置およびポンプ装置を備えるガス発生装置を提供する。水槽は電解水を収容し、電解水は電解質を備える。電解装置は、水素酸素混合ガスを生成し、電解水を電気分解するために水槽に連結されている。凝縮フィルターは、電解装置で生成された水素酸素混合ガスを凝縮し、濾過された水素酸素混合ガスを生成するために水素酸素混合ガス内の電解質を濾過するように電解装置に接続されている。凝縮フィルターに接続された加湿装置は、濾過された水素酸素混合ガスを加湿するために充填水を収容する。ポンプ装置は、水槽内に陰圧を発生させて充填水を加湿装置から凝縮フィルターを通して水槽に送り返すために水槽に接続されており、凝縮フィルターに吸着した電解質は水槽に還流する。４０〜６０時間運転した後のガス発生装置が生成する水素酸素混合ガスの流量が６００Ｌ／時間であるとき、電解質の減少は５ｇ以下となる。
【０００８】
さらに、本発明は選択的に霧化ガス混合槽を備えるガス発生装置を提供する。霧化ガス混合槽はガス排気口を備える。水槽と霧化ガス混合槽はポンプ装置によって接続される。ポンプ装置が運転中のとき、水槽内のガスは、水槽の中に陰圧を発生させるために霧化ガス混合槽のガス排気口を通って送り出される。
【０００９】
霧化ガス混合槽は、加湿された水素酸素混合ガスを受容するために選択的に加湿装置に接続されている。霧化ガス混合槽は、ユーザが吸入する健康に良いガスを生成するために、加湿された水素酸素混合ガスと混合した霧化ガスを生成する。霧化ガスは少なくとも水蒸気、霧化薬液、揮発性精製オイルまたはそれらの組み合わせの１つを備える。
【００１０】
加湿装置は選択的に少なくとも１本の出口管を備える。出口管は複数の孔を備える。水素酸素混合ガスは濾過された水素酸素混合ガスを加湿するために出口管の複数の孔から送り出される。
【００１１】
凝縮フィルターは選択的に複数の凝縮プレートを備える。すべての凝縮プレートは配管を備える。凝縮プレートの配管は、水素酸素混合ガスを循環させる循環配管を形成するために隣接する凝縮プレートの配管に接続されている。
【００１２】
さらには、本発明はさらに水槽、電解装置、凝縮フィルター、加湿フィルター、加湿装置およびポンプ装置を備えるガス発生装置を提供する。水槽は電解水を収容する。電解水は電解質を備える。電解装置は、電解水を電気分解して水素酸素混合ガスを生成するために水槽に連結される。凝縮フィルターに接続された加湿フィルターは水を収容し、凝縮フィルターによって濾過された、濾過された水素酸素混合ガスを濾過する。ポンプ装置は、水槽内に陰圧を発生させて充填水を加湿装置から凝縮フィルターを通して水槽に送り返すために水槽に接続されており、凝縮フィルターに吸着した電解質は水槽に還流する。４０〜６０時間運転した後のガス発生装置が生成する水素酸素混合ガスの流量が６００Ｌ／時間であるとき、電解質の減少は５ｇ以下となる。
【００１３】
結論として、本発明はガス発生装置を供給する。水素酸素混合ガスは本発明のガス発生装置の電解装置によって生成される。水素酸素混合ガスは、凝縮され、凝縮フィルターを通して電解質は濾過される。ユーザが吸引可能なように、ガスは水素酸素混合ガス内の電解質の量を減少させるために加湿される。他の実施形態において、ガス発生装置はさらに、ユーザが吸引可能でより高品質な水素酸素混合ガスを提供するために水素酸素混合ガス内の不純物を濾過する凝縮フィルターと加湿装置との間に加湿フィルターを備える。さらに、充填水を補充して、電解質を電解装置に還流させることで循環配管の濾過機能を修復することで、循環配管内の閉塞および腐食を回避できるだけではなく、電解質の消費量を減少できる。
【図面の簡単な説明】
【００１４】
いくつかの実施形態は、以下の図面を参照してより詳細に記述され、類似の符号は類似の番号を示す。本発明の利点、意図および特徴は以下の実施形態および図面を用いて説明され、論じられる。
【図１Ａ】図１Ａは本発明のガス発生装置を異なる角度から示す図である。
【図１Ｂ】図１Ｂは本発明のガス発生装置を異なる角度から示す図である。
【図２Ａ】図２Ａは本発明の一実施形態におけるガス発生装置を異なる角度から示す図である。
【図２Ｂ】図２Ｂは本発明の一実施形態におけるガス発生装置を異なる角度から示す図である。
【図２Ｃ】図２Ｃ本発明の一実施形態におけるガス発生装置を異なる角度から示す図である。
【図３Ａ】図３Ａは水槽の外部板、水槽の上部カバー体、加湿装置の構造、および加湿装置の外部配管がない図２Ａの実施形態を異なる角度から示す図である。
【図３Ｂ】図３Ｂは水槽の外部板、水槽の上部カバー体、加湿装置の構造、および加湿装置の外部配管がない図２Ａの実施形態を異なる角度から示す図である。
【図３Ｃ】図３Ｃは水槽の外部板、水槽の上部カバー体、加湿装置の構造、および加湿装置の外部配管がない図２Ａの実施形態を異なる角度から示す図である。
【図４Ａ】図４Ａは水槽がない図３の実施形態を異なる角度から示す図である。
【図４Ｂ】図４Ｂは水槽がない図３の実施形態を異なる角度から示す図である。
【図５Ａ】図５Ａは凝縮フィルターおよび水槽のカバー体のみである図２Ａの実施形態を示すＡ−Ａ線に沿った断面からみた平面図および断面図である。
【図５Ｂ】図５Ｂは凝縮フィルターおよび水槽のカバー体のみである図２Ａの実施形態を示すＡ−Ａ線に沿った断面からみた平面図および断面図である。
【図６Ａ】図６Ａは凝縮フィルターおよび水槽のカバー体のみの組み合わせである、本発明の他の実施形態におけるガス発生装置を異なる角度から示す図である。
【図６Ｂ】図６Ｂは凝縮フィルターおよび水槽のカバー体のみの組み合わせである、本発明の他の実施形態におけるガス発生装置を異なる角度から示す図である。
【図７】図７は水槽がない図６で示す凝縮フィルターおよび水槽のカバー体の組み合わせを示す図である。
【図８】図８は、フィルターネットのない、図７の水槽がない図６で示す凝縮フィルターおよび水槽のカバー体の組み合わせを示す図である。
【図９】図９は、フィルターネットカバー体のない、フィルターネットのない図８の、図７の水槽がない図６で示す凝縮フィルターおよび水槽のカバー体の組み合わせを示す図である。
【図１０Ａ】図１０Ａは図６Ａのガス発生装置の凝縮フィルターをＢ−Ｂ線に沿った断面を示す平面図および断面図である。
【図１０Ｂ】図１０Ｂは図６Ａのガス発生装置の凝縮フィルターをＢ−Ｂ線に沿った断面を示す平面図および断面図である。
【図１１】図１１は他の実施形態における本発明のガス発生装置の加湿装置を示す図である。
【図１２】図１２は他の実施形態における本発明のガス発生装置を示す図である。
【発明を実施するための形態】
【００１５】
以下に詳細に記載される装置および方法が開示された実施形態は、例示的な意図かつ
図面を参照することで制限されることなく本明細書にて提示される。特定の実施形態が示されて詳細に記載されたとしても、添付の請求の範囲を逸脱することなく多様な変更および改変がなされると理解すべきである。本発明の範囲は、構成要素、材料、形状、関係した配置等により制限されることはなく、本発明の実施形態の例としてそのまま開示されている。
【００１６】
図１Ａ〜図３Ｃを参照されたい。図１Ａおよび図１Ｂは本発明のガス発生装置を異なる角度から示す図である。図２Ａ、図２Ｂおよび図２Ｃは一実施形態のガス発生装置を異なる角度から示す図である。図３Ａ、図３Ｂおよび図３Ｃは、水槽の外部板、水槽の上部カバー体、加湿装置の構造、および加湿装置の外部配管がない図２Ａの実施形態を異なる角度から示す図である。本発明のガス発生装置１は、水槽２、図１Ａと図１Ｂでは示されていないが図４Ａと図４Ｂに示される電解装置３、霧化ガス混合槽４、図１Ａと図１Ｂでは示されていないが図２Ｂと図４Ｂに示されるポンプ装置５、凝縮フィルター６、冷却装置７および加湿装置９を備える。
【００１７】
水槽２は電解水を収容し、電解水は電解質を備える。電解装置３は電解水を電気分解して水素酸素混合ガスを生成するために水槽２に連結される。凝縮フィルター６は、電解装置３により生成される水素酸素混合ガスを受容して凝縮するために電解装置３に接続されている。そして、凝縮フィルターは濾過された水素酸素混合ガスを生成するために水素酸素混合ガス内の電解質を濾過する。加湿装置９は濾過された水素酸素混合ガスを受容して加湿する。加湿装置９は、充填水を収容し、水槽２の第１中空部２０に接続される。ポンプ装置５は水槽２の第１中空部２０に接続される。ポンプ装置が運転中、水槽２の第１中空部２０内にあるガスは、水槽２内に陰圧を発生させるためにポンプ装置５によって送り出される。加湿装置９が充填水を凝縮フィルター６に還流させ、電解質の損失を減少させるために陰圧によって水槽２を充填水で満たす。２０００〜３０００時間運転するときの水素酸素混合ガスの流量は１２０Ｌ／時間であり、電解質の減少は５０ｇ以下となる。すなわち、ガス発生装置によって生成された水素酸素混合ガスの流量は６００Ｌ／時間であり、４０〜６０時間運転するときの電解質の損失は５ｇ以下であると予想される。冷却装置７は、水槽２のカバー体の上に設置され、水素酸素混合ガスを発生させる電解水を冷却する水槽に接続されている。以下の文章は本発明のすべての要素におけるすべての設計を例証する。
【００１８】
図５Ａおよび図５Ｂを参照されたい。図５Ａおよび図５Ｂは凝縮フィルターおよび水槽のカバー体のみである図２Ａの実施形態を示すＡ−Ａ線の断面からみた平面図および断面図である。図６Ａおよび図６Ｂは凝縮フィルターおよび水槽のカバー体のみの組み合わせである、本発明の他の実施形態におけるガス発生装置を異なる角度から示す図である。水槽２は第１中空部２０を備える。水槽２の第１中空部２０は電解水を収容する。電解水は電解質を備える。本実施形態における電解質はＮａＯＨだが、実際の電解質はそれに限定されない。実際は、電解質はＣａＣＯ３、ＮａＣｌまたは食用ＮａＯＨである。水槽２は、さらに管２２、水槽２４および水槽２６のカバー体を備える。水槽２４の内部空間は第１中空部２０である。管２２は、凝縮フィルター６に接続されて水槽２６のカバー体に設置でき、電解装置３で生成された水素酸素混合ガスを排出して電解水を水槽２に送り込む水槽２のカバー体に設置できる。水槽２６のカバー体は、電解装置３（図４Ａに示す）の支柱３３がカバー体孔に浸透されるように構成される水槽２の第１中空部２０に接続している複数のカバー体孔を備える。とりわけ、複数のカバー体孔が、カバー体孔に浸透されるように構成される流量検出器、水位計および安全弁等の検出機器として使用可能である。
【００１９】
図４Ａおよび図４Ｂを参照されたい。図４Ａおよび図４Ｂは水槽がない図３Ａの実施形態を異なる角度から示す図である。電解装置３は、電解槽３２、図示されない複数の電極、支持板３６、上部カバー体３７および下部カバー体３８を備える。複数の電極は、複数の電極と共に配管を形成して電解槽３２に分離して設置することが可能である。電解槽の底部は複数の下部孔を有する。支持板３６はすべての電極の上側面上に設置される。支持板は複数の上部孔を有する。上部カバー体３７は、電解槽３２の他の面に対応する支持板３６上に設置される。上部カバー体３７は、少なくとも第１配管３７０を備えることが可能である。支持板３６の複数の上部孔は少なくとも上部孔３７の第１配管３７０によって第１中空部２０に接続されている。下部カバー体３８は上部カバー体３７の他の面に対応する電解槽３２の下側面に設置される。下部カバー体３８は少なくとも第２配管３８０を備える。電解槽３２の底面に設置された複数の下部孔は少なくとも底部カバー体３８の第２配管３８０によって第１中空部に接続されている。
【００２０】
図１０Ｂおよび図５Ａを参照されたい。図７は、水槽のカバー体がない、図６で示す凝縮フィルターおよび水槽のカバー体の組み合わせを示す図である。図８は、フィルターネットのない、図７の水槽がない図６で示す凝縮フィルターおよび水槽のカバー体の組み合わせを示す図である。図９は、フィルターネットカバー体のない、フィルターネットのない図８の、図７の水槽がない図６で示す凝縮フィルターおよび水槽のカバー体の組み合わせを示す図である。図１０Ａおよび図１０Ｂは図６Ａのガス発生装置の凝縮フィルターをＢ−Ｂ線の断面を示す平面図および断面図である。凝縮フィルター６はガス吸入孔６０とガス吸出孔６２を備える。ガス入口孔６０は水素酸素混合ガスを受容するために電解装置３に接続できる。ガス吸出孔６２は濾過された水素酸素混合ガスを吸出することができる。さらに、凝縮フィルター６は複数の凝縮プレート６４を備える。すべての凝縮プレート６４は配管６４０ａを備える。凝縮プレート６４の配管６４０ａは、水素酸素混合ガスを循環させ水素酸素混合ガスを凝縮する、循環配管６４０を形成するために隣接した凝縮プレート６４の配管６４０ａに接続されている。ガス吸入孔６０は循環配管６４０によりガス吸出孔６２に接続されている。
【００２１】
一実施形態において、凝縮プレート６４の配管６４０ａは分岐配管６４２と接続配管６４４との組み合わせである。図５Ｂおよび図１０Ｂを参照されたい。分岐配管６４２は分岐断面を有する配管であり、それは図５Ｂおよび図１０Ｂに示される分岐配管６４２だけに制限されない。実際は、分岐配管６４２は分岐断面の形状は半円、三角形またははしご型であり得る。分岐配管６４２は比較的広い端部と比較的狭い端部を有する。分岐配管６４２の比較的広い端部と比較的狭い端部は開口部を有する。接続配管６４４は配管および２つの対応する開口部を備える。接続配管６４４の２つの対応する開口部は配管によって相互に接続できる。一実施形態では、分岐配管６４２が接続配管６４４に接続されるとき、分岐配管６４２は接続配管６４４の開口部に接続された比較的広い開口部によって接続配管６４４に接続される。凝縮プレート６４の配管６４０ａの構造設計では、水平配管（分岐配管６４２）を垂直配管（接続配管６４４）に接続する。分岐配管６４２は分岐断面を有する配管であり、それは図５Ｂおよび図１０Ｂに示される分岐配管６４２だけに制限されない。水平配管は分岐断面のある配管だけに制限されない。実際は、水平配管は配管と同じ断面であり得る。さらに、凝縮プレート６４の配管６４０ａが隣接した凝縮プレート６４の配管６４０ａに接続されたとき、２つの配管６４０ａは分岐配管６４２の比較的狭い端部と隣接する凝縮プレート６４の接続配管６４４の開口部が接続する。よって、凝縮プレート６４の配管６４０ａの構造設計は、水素酸素混合ガスを循環する循環配管６４０を形成するために、凝縮プレート６４の配管６４０ａに隣接した凝縮プレート６４の配管６４０ａを接続させる。すなわち、実施形態にて、凝縮プレートと隣接した凝縮プレートの接続方法により、水素酸素混合ガスをより長い凝縮濾過経路に通すことができるので、より効率的な凝縮および濾過が可能である。さらに、一実施形態において、水素酸素混合ガス内の電解質を濾過するために、活性炭素繊維は配管６４０ａに結合する。セラミック、石英、珪藻土、海泡石またはそれらの組み合わせを備えるフィルター材料は配管６４０ａに連結される。フィルター材料はさらに水素酸素混合ガス内の電解質を濾過する。なお、一実施形態において、本発明のガス吸入孔６０はフィルターネット６００とフィルターネットカバー体６０２を備える。フィルターネット６００は、水素酸素混合ガスを受け取って濾過するため電解装置３においてフィルターネットカバー体６０２に接続する。
【００２２】
一実施形態において、循環配管６４０は２組の配管６４０ａによって凝縮効果を得て、凝縮フィルター６の設計を簡素化してコストを削減する。しかし、本発明はそれに限定せず、設計条件に基づいて配管の量は調整できる。
【００２３】
図２Ｃおよび図１１を参照されたい。図１１は他の実施形態における本発明のガス発生装置の加湿装置を示す。加湿装置９は中空主部９０、第１管９２、少なくとも出口管９４、第３管９６、第４管９８を備える。中空主部９０は充填水を収容する。第２管９２は電解装置３を接続するために中空主部９０上に設置される。少なくとも出口管９４は中空主部９０に連結されて、第２管９２に接続されている。第２管９２はＴ形を形成するために２本の出口管９４に接続されている。実際は、本発明はそれのみに限定せず、第２管と少なくとも１本の出口管９４との接続は、設計条件に基づいて調整できる。
【００２４】
さらに、２本の出口管９４の表面は複数の孔を備える。一実施形態において、容易に溶解する微細泡を形成するようにガスを精製するために、孔の直径は２ｎｍ〜３ｎｍである。実際は、本発明はそれのみに限定せず、孔の直径は、ユーザの要求に基づいて調節可能である。２つのゴム栓は、第２管９２内で水素酸素混合ガスを出力するために複数の出口管９４上にあるナノ孔によって中空主部９０の中にそれぞれ第２管９２に接続した２本の出口管９４の端部にそれぞれ設置される。実際は、本発明はそれのみに限定せず、第２管９２に接続した２本の出口管９４の端部は閉面として設計される。  
【００２５】
第３管９６は充填水Ｗ２を補充するために中空主部９０の上に配置される。実際は、第３管は試験孔に接続される。水素水は第３管によって試験孔を通って吸出するか、充填水に吸入される。第４管９８は加湿された水素酸素混合ガスを出力するために中空主部９０上に配置される。
【００２６】
図３Ｂおよび図４Ａを参照されたい。ポンプ装置５は、水槽内からガスを取り出し、加湿装置９から水槽に充填水を吸入する陰圧を発生させ、凝縮フィルター６ないの電解水を水槽２の第１中空部２０に還流させるために、水槽カバー体２６上に設置され水槽２の第１中空部２０に接続される。
【００２７】
図３Ｂおよび図４を参照されたい。霧化ガス混合槽４は加湿された水素酸素混合ガスを受容するため加湿装置９に接続される。霧化ガス混合槽は霧化ガスを発生させることができ、霧化ガスは、水蒸気、霧化液体、揮発性の精製オイルおよびそれらの組み合わせを備える。霧化ガス混合槽は、ユーザが吸入する健康に良いガスを生成するために、霧化ガスおよび加湿された水素酸素混合ガスを混合できる。さらに、霧化ガス混合槽４はガス排気口４０を備える。ガス排気口の設計は、実際には図４Ａで示す図に限定されない。ガス排気口はガス排気口管であり、ガス排気口はユーザの要求に基づく。霧化ガス混合槽４のガス排気口およびポンプ装置５はお互い接続されている。一実施形態において、電解装置３が水素酸化混合ガスを生成するために電解水を電気分解するのを中止したとき、ポンプ装置が作動し始める。ポンプ装置５は水槽内にガスを送り出し、霧化ガス混合槽４のガス排出口からガスを出力して、水槽内に陰圧を発生させて充填水を加湿装置から凝縮フィルターを通して水槽に還流し、凝縮フィルターに吸着した電解質は水槽に還流する。
【００２８】
以上、各要素の設計について説明したところで、以下の記載では、各要素の組合せ方法及び用途について説明する。
【００２９】
電解装置３において、電解槽３２に配置された複数の電極があり、支持板３６はすべての電極の表面に設置されており、上部カバー体３７は、電解槽３２に対応する支持板３６の他の端部を被覆し、下部カバー体３８は上部カバー体３７の他の端部に対応する電解槽の下面を被覆する。
【００３０】
水槽２および電解装置３において、電解装置３の陽極板と陰極板は、それぞれ２本の電極柱３３を介して水槽２のカバー体２６に固定されている。水槽２４が水槽カバー体２６と組み合わされたとき、電解装置３は固定されて水槽２に掛けられる。水槽２および電解装置３は相互に接続されている。流量検出器Ｆ等の検出器は、カバー体２６の複数のカバー体孔２６１を浸透して水槽のカバー体２６を形成する。
【００３１】
水槽２、電解装置３、凝縮フィルター６において、電解装置３を有する水槽２は凝縮フィルター６に水槽２の管２２および凝縮フィルター６の入力孔６０を介して接続されている。そして、水槽に接続されている凝縮フィルター６は、凝縮フィルター６のガス排出孔と加湿装置９の第２管９２との接続部を介して加湿装置９に接続されている。さらに、霧化ガス混合槽４は  加湿装置９の第４管９８に接続される。
【００３２】
実際には、水槽２は電解水Ｗを収容し、電解装置３は電解水Ｗを電気分解して水素酸素混合ガスを発生させるために水槽２に連結される。電極の配管で発生した水素酸素混合ガスは、支持板３６の上部孔および上部カバー体３７の第１配管３７０を介して第１中空部２０に入力される。第１中空部２０内に入力された水素酸素混合ガスは、水槽２の管２２を通して出力される。水槽２の管２２から出力された水素酸素混合ガスは、凝縮フィルター６のガス入力孔６０から凝縮フィルターを通って凝縮フィルター６に入力される。凝縮フィルター６のガス入力孔６０を通った水素酸素混合ガスは、濾過ネット６００および濾過ネットカバー体６０２を通り、まず事前に濾過される。事前に濾過された水素酸素混合ガスは凝縮するために循環配管６４０の中に入力される。同時に、水素酸素混合ガスは、配管６４０ａに連結された活性炭素繊維によって濾過され、水素酸素混合ガスは循環配管６４０ａにおいて電解質を吸着させる。そして、濾過された水素酸素混合ガスは凝縮フィルター６のガス吸出孔６２を介して出力される。
【００３３】
さらに、濾過された水素酸素混合ガスは、ガス吸出孔６２に接続している第２管９２を介して加湿装置９内に通される。第２管９２に受容された濾過された水素酸素混合ガスは、２本の出口管９４の複数のナノ孔によって中空主部９０の中に吸入される。実際には、出口管９４の表面に複数のナノ孔があることから、加湿装置内の水素酸素混合ガスは可溶性の微小ガス泡を形成するために小型化が可能である。濾過された水素酸素混合ガスを加湿装置によって加湿した後、水素酸素混合ガス内の電解質は低くなるので、電解質が水に融解したときにユーザは使用しやすくなる。加湿装置９によって吸出された加湿された水素酸素混合ガスはユーザが吸入するために提供される。実際には、本発明はそれに限定されず、加湿装置９によって吸出される加湿された水素酸素混合ガスは、霧化ガス混合槽によって生成された霧化ガスと混合し、ユーザが吸入する健康的なガスを形成する。
【００３４】
さらに、電解装置３は、水素酸素混合ガスを生成させるために電気分解を停止し、ポンプ装置はガスを水槽２に送り出して陰圧を発生させる。第３管９６により再補充された充填水は上記の陰圧により加湿装置９から電解装置３を有する水槽２に入力される。  さらに具体的には、充填水は加湿装置の第２管９２と凝縮フィルター６のガス出力孔６２との接続によって加湿装置９から凝縮フィルター６に入力される。さらに、凝縮フィルター６の循環配管６４０に吸着した電解質は、循環配管の濾過機能を回復させるために、ガス入力孔６０および管２２を通って、充填水と共に電解装置３の水槽に還流される。循環配管６４０内の閉塞および腐食を回避できるだけではなく、電解質の消費量を減少できる。一実施形態において、ガス発生装置によって１２０Ｌ／時間で２０００時間〜３０００時間かけて水素酸素混合ガスが生成された後、電解質の減少は５０ｇ以下となるが、本発明はそれだけに限定されない。実際には、ガス発生装置によって６００Ｌ／時間で４０時間〜６０時間かけて水素酸素混合ガスが生成された後、電解質の減少は５ｇ以下となる。
【００３５】
実際は、本発明は、電気分解に用いる電解水を電解装置３に提供するために電解装置３の水槽２に電解質を還流する充填水を用いる。さらに、第１中空部２０の補充電解水は、電解装置３が運転中に、電解装置３に電解水Ｗを提供するために下部カバー体３８の第２配管３８０および電極曹３２の電極配管に対応する複数の下部孔を通る必要がある。一実施形態において、本発明のガス発生装置は電解水の補充を管理するため、水槽および／または電解装置に収容された第１中空部の水位を水位計によって検出できる。
【００３６】
図４を参照されたい。流量探知器Ｆは水素酸素混合ガスの流量を検出するために電解装置３に連結される。一実施形態において、ガス発生装置１の水素酸素混合ガスの流量は０．０１Ｌ／分〜１２Ｌ／分である。ガス発生装置によって１２０Ｌ／時間で２０００時間〜３０００時間かけて水素酸素混合ガスが生成された後、電解質の減少は５０ｇ以下となるので、ガス発生装置によって６００Ｌ／時間で４０時間〜６０時間かけて水素酸素混合ガスが生成された後の電解質の減少は５ｇ以下となることが予測でき、または、ガス発生装置によって３０Ｌ／時間で４０時間〜６０時間かけて水素酸素混合ガスが生成された後の電解質の減少は０．２５ｇ以下となることが予測でき、さらに、ガス発生装置によって２４０Ｌ／時間で４０時間〜６０時間かけて水素酸素混合ガスが生成された後の電解質の減少は２ｇ以下となることが予測でき、さらに、ガス発生装置によって３６０Ｌ／時間で４０時間〜６０時間かけて水素酸素混合ガスが生成された後の電解質の減少は３ｇ以下となることが予測でき、さらに、ガス発生装置によって３０Ｌ／時間で４０時間〜６００時間かけて水素酸素混合ガスが生成された後の電解質の減少は２ｇ以下となることが予測できる。実際は、本発明がそれに限定されず、ユーザは、使用条件に基づいて、流量と運転時間を調整できる。
【００３７】
図１２を参照されたい。図１２は他の実施形態における本発明のガス発生装置を示す図である。一実施形態において、ガス発生装置１は、水槽２、電解装置３、凝縮フィルター６、加湿フィルター８、加湿装置９、ポンプ装置５を備える。電解装置３は水槽２に連結される。凝縮フィルター６は電解装置３と加湿フィルター８との間に連結されている。加湿フィルター８は水を収容する。加湿フィルター８は凝縮フィルター６に接続されている。加湿装置９は加湿フィルター８に接続されている。凝縮フィルターは電解装置によって生成された水素酸素混合ガスを凝縮して、水素酸素混合ガスの電解質を濾過する。加湿フィルター８は、凝縮フィルター６によって濾過された水素酸素混合ガスを濾過するために用いられる。加湿装置９は加湿フィルター８によって濾過された水素酸素混合ガスを加湿できる。
【００３８】
一実施形態において、加湿フィルター８は、槽、第１管、第１フィルター、第１管を備える。槽は水を収容する空間を有するが、それに限定されない。槽は使用条件に基づいて、液体を収容できる。第１管は、槽の外側と内側に接続されている。第１管は、第１端部と第１端部に対応している第２端部を有する。第１端部および第２端部は槽の外側と内側に接続可能である。槽の外側と内側を接続するため、第１フィルターは第１管の第２端部に設置される。
【００３９】
一実施形態において、加湿フィルター８は、第１管の入口と出口に連結された第２フィルター２３を備える。実際は、第２フィルターは、第１管の下で、濾過された水素酸素混合ガスの出口に直接連結される。第１フィルターと第２フィルターは多孔性プラスチックから成る。他の実施形態において、多孔性プラスチックはポリエチレンであるが、それに限定されない。
【００４０】
水素酸素混合ガスは外部から第１管の第１端部を通って送り出され、水素酸素混合ガスは第１管の第２端部を通って槽に送り込まれる。第１フィルターは第２端部上に配置されるので、ガス混合物が第２端部から出力されるとき、水素酸素混合ガスは第１フィルターから送り出される。不純物は第１フィルターによって濾過され、不純物は電解質であり得る。水素酸素混合ガスが槽内の水に送り出された後、水素酸素混合ガスは水によって濾過される。濾過されたガスは水素及び酸素を備え、水素酸素混合ガス中の蒸気を濾過するために第２フィルター要素を通り、第１管を通って槽から送り出される。
【００４１】
一実施形態において、加湿フィルター８は管を備える。管の一端部は第１端部と第１管の第２端部の間で接続される。支部の端部の１つは第１管と第２管を接続し、もう１つの支部の端部は一方向の弁を備える。一方向の弁は水素酸素混合ガスを支部から出力するために用いられる。よって、第１管が外部から水素酸素混合ガスを受理するとき、一方向弁により閉塞され、第１管の第１端部を通って第２端部に送り出されて槽に入る。一実施形態において、加湿フィルター８の一方向の弁は槽（図示せず）の水位を制御できる。水位が既定の値より高いとき、槽の水位を維持するため、水位が所定の値より低くなるまで、加湿フィルター８は一方向弁によって第１管および支部を通り、水を槽に送り出す。水位がタンクの水位を維持するために前もって決定された価値より低くなるまで、加湿フィルター８は第１管とブランチを通って一方向の弁によってタンクの水を送り出すでしょう。
【００４２】
充填水を加湿装置から凝縮フィルターを通して水槽に送り出し、水槽の中に陰圧を発生させるためにポンプ装置は水槽に接続されており、凝縮フィルターに吸着した電解質は水槽に還流する。４０〜６０時間作動後、ガス発生装置によって水素酸素混合ガスを生成する流量が６００Ｌ／時間であるとき、電解質の損失は５ｇ以下である。
【００４３】
一実施形態において、電解装置は外部の電源に接続されている。電源の出力電圧は１７Ｖ〜２７Ｖである。電源の出力電流は３０Ａ〜４０Ａである。すなわち、電解装置の吸出ガスの量は１．５Ｌ／分〜４．０Ｌ／分である。電極のすべての一組の電圧は１．５Ｖ〜３Ｖである。８組の電極の場合は、電圧は１２Ｖ〜２４Ｖとなるが、電圧はそれに限定されない。実際は、電解装置は外部電源に接続されており、電源の出力電圧は５Ｖ〜２４Ｖであり、出力電流は２Ａ〜１５０Ａであり、電解装置の動力は１０Ｗ〜３６００Ｗであり、電解装置によって発生した出力ガスは０．０１Ｌ／分〜１２Ｌ／分である。
【００４４】
結論として、水素酸素混合ガスは、本発明のガス発生装置の電解装置によって生成される。水素酸素混合ガスの電解質は凝縮フィルターによって凝縮され、濾過される。ユーザが吸入する加湿装置によって加湿された後、水素酸素混合ガスの電解質の量は減少する。他の一実施形態では、ガス発生装置はさらに凝縮フィルターと加湿装置との間に構成する加湿フィルターを備え、不純物は第１フィルターによって濾過され、不純物は電解質であり得る。水素酸素混合ガスが槽内の水に送り出された後、水素酸素混合ガスは水によって濾過され、ユーザが吸入可能なより良い水素酸素混合ガスを提供する水素酸素混合ガスの不純物を濾過する。さらに、充填水は加湿装置を通り、水槽に接続されているポンプ装置によって送り戻す。さらに、ガス発生装置は充填水をポンプで送り出し、循環配管の濾過機能を修復するために電解装置内の電解質を還流する。よって、本発明は循環配管の閉塞、エッチング、腐食を避けるだけでなく、電解質の消費量を減少させる。
【００４５】
上記の説明および例示によって、本発明の特徴と意図は詳細に記載されたことを期待する。さらに重要なことは、本発明は本明細書に記載の実施形態のみに限定されない。当業者は、本発明の教示する内容を維持する際に装置の修正と変更が数多くなされることを認識するだろう。したがって、上記の開示は添付された特許明細の範囲の境界によってのみ限定される解釈すべきである。
【図１Ａ】
0006665975.tif 000002
【図１Ｂ】
0006665975.tif 000003
【図２Ａ】
0006665975.tif 000004
【図２Ｂ】
0006665975.tif 000005
【図２Ｃ】
0006665975.tif 000006
【図３Ａ】
0006665975.tif 000007
【図３Ｂ】
0006665975.tif 000008
【図３Ｃ】
0006665975.tif 000009
【図４Ａ】
0006665975.tif 000010
【図４Ｂ】
0006665975.tif 000011
【図５Ａ】
0006665975.tif 000012
【図５Ｂ】
0006665975.tif 000013
【図６Ａ】
0006665975.tif 000014
【図６Ｂ】
0006665975.tif 000015
【図７】
0006665975.tif 000016
【図８】
0006665975.tif 000017
【図９】
0006665975.tif 000018
【図１０Ａ】
0006665975.tif 000019
【図１０Ｂ】
0006665975.tif 000020
【図１１】
0006665975.tif 000021
【図１２】
0006665975.tif 000022